(57)【要約】【課題】吸収体による吸収効果と消臭剤による消臭効果とを両立させることが可能な吸収性物品を提供する。【解決手段】液透過性の表面シート１２０と、液不透過性の裏面シート１３０と、表面シートと裏面シートとの間に位置する吸収体１４０とを備え、互いに直交する長手方向、幅方向及び厚さ方向を有する吸収性物品１００である。その吸収性物品１００は、平面視において、排尿領域ＰＡ１と、排尿領域を囲む周囲領域ＰＡ２と、を有しており、吸収体と表面シートとの間に存在し、消臭剤を含む補助シート１４４を備える。補助シートは、排尿領域に存在せず、周囲領域に存在する。【選択図】図１
2018000568.tif 000002
【特許請求の範囲】
【請求項１】
液透過性の表面シートと、液不透過性の裏面シートと、前記表面シートと前記裏面シートとの間に位置する吸収体とを備え、互いに直交する長手方向、幅方向及び厚さ方向を有する吸収性物品であって、
平面視において、排尿領域と、前記排尿領域を囲む周囲領域と、を有し、
前記吸収体と前記表面シートとの間に存在し、消臭剤を含む補助シートを備え、
前記補助シートは、前記排尿領域に存在せず、前記周囲領域に存在する、
吸収性物品。
【請求項２】
前記吸収体は、前記長手方向の中央部分に前記幅方向の寸法が最小となる最小部分を有し、
前記補助シートは、前記幅方向における前記最小部分の両端縁を通り、前記長手方向に沿って延びる仮想線よりも前記幅方向の外側に位置する、
請求項１に記載の吸収性物品。
【請求項３】
前記吸収性物品は、包装時には、前記吸収性物品の前記幅方向の両端部に設定された、前記長手方向に沿って延びる折り線の位置で、前記幅方向の両端部が中央部上に折り畳まれており、
前記折り線は、前記幅方向における前記排尿領域の両端縁それぞれよりも外側の所定位置を通るように設定されており、
前記補助シートは、前記幅方向における前記折り線よりも前記幅方向の外側に位置する、
請求項１に記載の吸収性物品。
【請求項４】
前記表面シートは、前記長手方向に沿って延設され、前記幅方向の中央に位置する中央シートと、前記長手方向に沿って延設され、前記中央シートの前記幅方向の両外側に位置し、一対の防漏壁を構成する一対のサイドシートと、を含み、
前記補助シートは、平面視で、前記中央シートと前記一対のサイドシートとが接合する一対の接合部における前記幅方向の内側の端部よりも、前記幅方向の両外側に位置する、
請求項１乃至３のいずれか一項に記載の吸収性物品。
【請求項５】
前記補助シートは、前記幅方向における前記吸収体の両端縁よりも外側に延在する、
請求項１乃至４のいずれか一項に記載の吸収性物品。
【請求項６】
前記長手方向の一方は腹側方向であり、他方は背側方向であり、
前記補助シートは、平面視において、少なくとも前記排尿領域よりも前記腹側方向に位置する、
請求項１乃至５のいずれか一項に記載の吸収性物品。
【請求項７】
前記吸収体は、前記長手方向の両端部の各々に前記幅方向の寸法が極小となる極小部分を有し、
前記補助シートは、前記極小部分よりも前記長手方向の外側に位置する、
請求項１乃至６のいずれか一項に記載の吸収性物品。
【請求項８】
前記補助シートは、前記幅方向における前記吸収体の両端縁よりも外側に位置し、
前記幅方向の吸収体の外側では前記厚さ方向において前記裏面シートと前記表面シートとの間に位置する、
請求項１に記載の吸収性物品。
【請求項９】
前記吸収体は、前記排尿領域に形成され、前記厚さ方向に前記表面シート側から前記吸収体内部に延びる溝部を含む、
請求項１乃至８のいずれか一項に記載の吸収性物品。
【請求項１０】
前記溝部は、前記排尿領域における前記幅方向の中央部に形成され、前記長手方向に延び、前記厚さ方向に前記吸収体を貫通する貫通孔を含む、
請求項９に記載の吸収性物品。
【請求項１１】
前記長手方向の一方は腹側方向であり、他方は背側方向であり、
前記貫通孔の前記腹側方向の腹側端部と前記吸収体の前記腹側方向の端部との距離は、前記溝部の前記背側方向の背側端部と前記吸収体の前記背側方向の端部との距離よりも短く、
前記腹側端部の壁面が前記溝部内の底面に対して成す角は、前記背側端部の壁面が前記溝部内の底面に対して成す角よりも垂直に近い、
請求項１０に記載の吸収性物品。
【請求項１２】
前記長手方向の一方は腹側方向であり、他方は背側方向であり、
前記貫通孔の前記幅方向の幅方向端部と、前記吸収体の前記幅方向の端部との距離は、前記貫通孔の前記腹側方向の腹側端部と前記吸収体の前記腹側方向の端部との距離、及び、前記貫通孔の前記背側方向の背側端部と前記吸収体の前記背側方向の端部との距離よりも短く、
前記幅方向端部の壁面が前記貫通孔内の底面に対して成す角は、前記腹側端部の壁面が前記貫通孔内の底面に対して成す角、及び、前記背側端部の壁面が前記貫通孔内の底面に対して成す角よりも垂直に近い、
請求項１０又は１１に記載の吸収性物品。
【請求項１３】
前記吸収体は、肌側に位置する上層吸収体と、非肌側に位置する下層吸収体と、を含み、
前記溝部は、前記排尿領域における前記幅方向の中央部に形成され、前記長手方向に延び、前記厚さ方向に前記上層吸収体を貫通する貫通孔を含む、
請求項９に記載の吸収性物品。
【発明の詳細な説明】
【技術分野】
【０００１】
本発明は、吸収性物品に関する。
【背景技術】
【０００２】
失禁パッド、使い捨ておむつのような吸収性物品は、着用者から排泄された排泄物、例えば尿を吸収し、保持するために用いられる。吸収性物品の吸収体に吸収される尿は、通常、不快な臭気を発する。そのため、その臭気を抑制するための消臭機能を有する吸収性物品が検討されている。
【０００３】
例えば、特許文献１に記載の吸収性物品では、消臭層は、表面シートと吸収体との間に、平面視で吸収体の肌側のほぼ全面を覆うように配置されている。また、特許文献２に記載の吸収物品では、消臭剤は、平面視でナプキンの表面層上のほぼ全面、排泄領域若しくは縁、又は、使い捨ておむつの弾性直立バリヤー上、側部パネル上若しくは股から背側の表面層上に付着されている。
【先行技術文献】
【特許文献】
【０００４】
【特許文献１】特開２０１１−０３０９００号公報
【特許文献２】特開２００７−５２８７４２号公報
【発明の概要】
【発明が解決しようとする課題】
【０００５】
吸収性物品において、消臭剤による消臭効果を最大化させるためには、着用者が製品を着用した時の着用者の排尿部に接する領域、すなわち排尿領域に消臭剤が配置されていることが好ましい。しかし、その一方で、消臭剤が尿（液体）で濡れてしまうと、以下のような理由から消臭効果が著しく低下してしまう。すなわち、物理吸着による消臭を行う消臭剤の場合、消臭剤が液体に濡れるとその細孔が液体で埋まり、その細孔内に臭気物質（気体）が到達し難くなり、化学吸着による消臭を行う消臭剤の場合、消臭剤が液体に濡れるとその表面が液層で覆われ、その表面に臭気物質（気体）が接触し難くなる、などの理由である。
【０００６】
特許文献１の吸収性物品では、消臭剤が平面視で吸収体のほぼ全面に配置されており、したがって排尿領域にも配置されているので、消臭剤による消臭効果が高いとも考え得る。しかし、この場合、その排尿領域の消臭剤は尿で濡れてしまうので、その消臭剤による消臭効果は低いと考えられる。その上、その消臭剤が尿の吸収体への移動経路に存在するため、尿が吸収体へ移動する妨げとなり、吸収体の吸収効果の低下を招くと考えられる。また、消臭剤の連続した消臭層内での尿の拡散は、他の層や資材への尿の拡散よりも容易であると考えられるため、排尿領域に尿が排出されると、消臭層内における排尿領域の周囲の領域にも尿が拡散し易く、周囲の領域の消臭剤も尿で濡れ易くなり、消臭効果の更なる低下を招くと考えられる。
【０００７】
一方、特許文献２の吸収物品では、消臭剤が平面視でナプキンの表面層上のほぼ全面又は排泄領域に配置される場合には、消臭剤による消臭効果が高いとも考え得る。しかし、この場合も、排尿領域の消臭剤は尿で濡れてしまい、周囲の領域の消臭剤も尿が表面層を伝って拡散することになり尿で濡れ易くなるので、それらの消臭剤による消臭効果は低くなりかつ、消臭効果を高めようと濃度を上げると、それ自身が尿の流れを阻害してしまい、結果として排尿領域の消臭剤は尿の吸収体への移動の妨げとなり、吸収体の吸収効果の低下を招くと考えられる。また、消臭剤が、ナプキンの表面層上の縁、使い捨ておむつの弾性直立バリヤー上、側部パネル上又は股から背側の表面層上に配置されている場合には、消臭剤は尿で濡れ易くはなく、尿の吸収体への移動も困難ではない。しかし、それらは着用者の肌面に接触する領域であるので、着用者の肌面からの汗により消臭剤が濡れてしまい、その消臭剤による消臭効果は低くなると考えられる。
【０００８】
本発明の目的は、吸収体による吸収効果と消臭剤による消臭効果とを両立させることが可能な吸収性物品を提供することにある。
【課題を解決するための手段】
【０００９】
本発明の吸収性物品は、（１）液透過性の表面シートと、液不透過性の裏面シートと、前記表面シートと前記裏面シートとの間に位置する吸収体とを備え、互いに直交する長手方向、幅方向及び厚さ方向を有する吸収性物品であって、平面視において、排尿領域ＰＡ１と、前記排尿領域ＰＡ１を囲む周囲領域と、を有し、前記吸収体と前記表面シートとの間に存在し、消臭剤を含む補助シートを備え、前記補助シートは、前記排尿領域ＰＡ１に存在せず、前記周囲領域に存在する、吸収性物品。
【００１０】
本吸収性物品においては、消臭剤を含む補助シートを、臭気が発生する尿を含む吸収体により近い、吸収体と表面シートとの間の位置であって排尿点に比較的近い周囲領域に配置し、排尿点に最も近い排尿領域ＰＡ１には配置していない。そのため、尿が排泄されたとき、尿は主に排尿領域ＰＡ１の範囲に拡がりながら、補助シートの消臭剤に妨げられることなく、厚さ方向、つまり吸収体内部へ移動・拡散され、吸収される。それにより、補助シートの消臭剤が尿の吸収体への移動を妨げて、吸収体の吸収効果を低下させる事態を抑制できる。それと共に、補助シートの周囲領域の消臭剤が尿で濡れることを抑制できる。本吸収性物品において、消臭剤を含む補助シートは、表面シートよりも非肌側に配置されているので、着用者の肌面からの汗が補助シートに到達し難くなり、汗により消臭剤が濡れてしまい消臭剤の消臭効果が低下する事態を抑制できる。それらにより、消臭剤で気相中の臭気物質を容易に捕獲できる。以上のように、本吸収性物品では吸収体による吸収効果と消臭剤による消臭効果とを両立させることができる。
【００１１】
本発明の吸収性物品は、（２）前記吸収体は、前記長手方向の中央部分に前記幅方向の寸法が最小となる最小部分を有し、前記補助シートは、前記幅方向における前記最小部分の両端縁を通り、前記長手方向に沿って延びる仮想線よりも前記幅方向の外側に位置する、上記（１）に記載の吸収性物品、であってもよい。
尿が拡散しても、吸収体の最小部分より幅方向の外側の領域へはほとんど到達せず、したがって吸収体の最小部分より外側の領域は尿とほとんど接触しない領域となる。例えば、１５０−３００ｍｌ程度の尿であれば、拡散が最小部分より幅方向の外側の領域に拡がる前に厚み方向に移動し、吸収体内を拡散するため、消臭剤が配置されている部分にはほとんど到達してこない。本吸収性物品では、補助シートを幅方向の最小部分の位置よりも幅方向の外側に配置する。そのため、消臭剤は排尿点に非常に近いが、尿が吸収体内を拡散するため、尿とほとんど接触せず、濡れ難くなるので、消臭剤の消臭効果を減らさずに、尿の臭気物質を消臭剤で適切に捕獲できる。
【００１２】
本発明の吸収性物品は、（３）前記吸収性物品は、包装時には、前記吸収性物品の前記幅方向の両端部に設定された、前記長手方向に沿って延びる折り線の位置で、前記幅方向の両端部が中央部上に折り畳まれており、前記折り線は、前記幅方向における前記排尿領域の両端縁それぞれよりも外側の所定位置を通るように設定されており、前記補助シートは、前記幅方向における前記折り線よりも前記幅方向の外側に位置する、上記（１）に記載の吸収性物品、であってもよい。
吸収性物品が包装され、折り線よりも幅方向外側の部分が、折り線に沿って折り線よりも内側の中央部分の上に折り畳まれる。そのとき、吸収性物品の肌面側には折り線の部分折り溝が形成される。本吸収性物品では、このように肌面側に折り溝が付くことにより、折り溝よりも幅方向の外側の部分が厚さ方向に起立して壁のようになり、吸収性物品全体としては長手方向から見て略Ｕ字型の形状を維持することができる。これにより、幅方向の外側へ尿が流れてきたとしても、折り溝よりも幅方向の外側の部分には傾斜がついているため、流れてきた尿が幅方向の外側にそれ以上拡がることを抑制できる。さらに、折り溝よりも幅方向の外側の部分は壁のようになっているため、尿から発生した臭気物質が幅方向の外側に拡がろうとした際に、その壁のような部分に沿って移動するため消臭剤と接触し易くすることができる。このように、本吸収性物品は、消臭剤が濡れず、すなわち消臭剤の消臭効果を減らさず、尿の臭気物質を消臭剤で適切に捕獲できる。
【００１３】
本発明の吸収性物品は、（４）前記表面シートは、前記長手方向に沿って延設され、前記幅方向の中央に位置する中央シートと、前記長手方向に沿って延設され、前記中央シートの前記幅方向の両外側に位置し、一対の防漏壁を構成する一対のサイドシートと、を含み、前記補助シートは、平面視で、前記中央シートと前記一対のサイドシートとが接合する一対の接合部における前記幅方向の内側の端部よりも、前記幅方向の両外側に位置する、上記（１）乃至（３）のいずれか一項に記載の吸収性物品、であってもよい。
着用者が横向きで寝ている姿勢において、尿は表面シート上を伝う可能性が高い。本吸収性物品では、補助シートを幅方向における防漏壁の固定端の位置よりも外側に配置する。そのため着用者が横向きで寝ているときに尿の伝達が止まる固定端より外側に消臭剤が配置される。したがって、消臭剤は尿に極めて近いが、尿とほとんど接触せず、濡れ難くなるので、消臭剤の消臭効果を減らさずに、尿の臭気物質を消臭剤で適切に捕獲できる。
【００１４】
本発明の吸収性物品は、（５）前記補助シートは、前記幅方向における前記吸収体の両端縁よりも外側に延在する、上記（１）乃至（４）のいずれか一項に記載の吸収性物品、であってもよい。
幅方向において、尿が拡散しても、吸収体の両端縁よりも外側の領域へはほとんど到達せず、したがって吸収体の両端縁より外側の領域は尿とほとんど接触しない領域となる。本吸収性物品では、補助シートを幅方向における吸収体の両端縁よりも外側に延在するように、すなわち吸収体の両端縁よりも外側に拡がる広い領域で形成している。そのため、消臭剤は排尿点に比較的近いが、尿とほとんど接触せず、濡れ難く、かつ消臭剤の領域が広くなるので、消臭剤の消臭効果を高めて、尿の臭気物質を消臭剤で適切に捕獲できる。
【００１５】
本発明の吸収性物品は、（６）前記長手方向の一方は腹側方向であり、他方は背側方向であり、前記補助シートは、平面視において、少なくとも前記排尿領域よりも前記腹側方向に位置する、上記（１）乃至（５）のいずれか一項に記載の吸収性物品、であってもよい。
吸収性物品では股間部の幅方向の端部は漏れないように身体に密着させて装着されており、その密着度は非常に高い。そのため、排尿領域から逃げてくる臭気物質は腹側に限定されてくる。特に、着用者が仰向けに寝ている姿勢において、尿の臭気物質は吸収性物品と身体の腹部との間を通過し易い。本吸収性物品では、補助シートを排尿領域よりも腹側方向に配置するので、吸収性物品と身体の腹部との間を通過する臭気物質を効果的に捕獲することができる。また、着用者が仰向けに寝ている姿勢において、尿が排出されても、吸収体のパルプ繊維内の毛細管現象以外には尿は重力に逆らうことはできない。したがって、排尿領域よりも腹側方向に消臭剤を配置することで、消臭剤は排尿点に近いが、尿とほとんど接触せず、濡れ難くなる。したがって、消臭剤の消臭効果を減らさずに、消臭剤の消臭効果を的確に発揮でき、特に仰向けに寝ている着用者の感じる臭気を効果的に除去できる。
【００１６】
本発明の吸収性物品は、（７）前記吸収体は、前記長手方向の両端部の各々に前記幅方向の寸法が極小となる極小部分を有し、前記補助シートは、前記極小部分よりも前記長手方向の外側に位置する、上記（１）乃至（６）のいずれか一項に記載の吸収性物品、であってもよい。
尿が拡散しても、吸収体の極小部分より長手方向の外側の領域へはほとんど到達せず、したがって吸収体の極小部分より外側の領域は尿とほとんど接触しない領域となる。本吸収性物品では、補助シートを幅方向における極小部分の位置よりも長手方向の外側に配置する。そのため、消臭剤は排尿点に非常に近いが、尿とほとんど接触せず、濡れ難くなるので、消臭剤の消臭効果を減らさずに、尿の臭気物質を消臭剤で適切に捕獲できる。
【００１７】
本発明の吸収性物品は、（８）前記補助シートは、前記幅方向における前記吸収体の両端縁よりも外側に位置し、前記幅方向の吸収体の外側では前記厚さ方向において前記裏面シートと前記表面シートとの間に位置する、上記（１）に記載の吸収性物品、であってもよい。
幅方向において尿が拡散しても、吸収体の両端縁よりも外側の領域へほとんど到達せず、したがって吸収体の両端縁より外側の領域は尿とほとんど接触しない領域となる。本吸収性物品では、補助シートを幅方向における吸収体の両端縁よりも外側に位置するように形成する。そのため、消臭剤は排尿点に比較的近いが、尿とほとんど接触せず、濡れ難くなるので、消臭剤の消臭効果を減らさずに、尿の臭気物質を消臭剤で適切に捕獲できる。
【００１８】
本発明の吸収性物品は、（９）前記吸収体は、前記排尿領域ＰＡ１に形成され、前記厚さ方向に前記表面シート側から前記吸収体内部に延びる溝部を含む、上記（１）乃至（８）のいずれか一項に記載の吸収性物品、であってもよい。
本吸収性物品において、吸収体の排尿領域ＰＡ１に吸収体の内部へ延びる溝部が形成されている。そのため、尿が表面シート上の排尿領域ＰＡ１に排泄されたとき、その尿が表面シートを伝い周囲領域へ拡がって消臭剤を濡れさせてしまう前に、その尿の大部分を吸収体の溝部から吸収体内部へ移動・拡散させることができる。そのため、尿が周囲領域の消臭剤へ移動・拡散することを抑さえ、消臭剤の消臭効果の低下を抑制しつつ、尿を効率的に吸収体に吸収させることができる。それにより、吸収体による吸収効果と消臭剤による消臭効果とを両立させることができる。
【００１９】
本発明の吸収性物品は、（１０）前記溝部は、前記排尿領域ＰＡ１における前記幅方向の中央部に形成され、前記長手方向に延び、前記厚さ方向に前記吸収体を貫通する貫通孔を含む、上記（９）に記載の吸収性物品、であってもよい。
本吸収性物品では、貫通孔が排尿領域ＰＡ１に形成され、長手方向に延び、厚さ方向に吸収体内部へ貫通するため、排尿領域ＰＡ１に排泄された尿が周囲領域の消臭剤へ拡がる前に、その大部分を迅速に吸収体の内部へ移動・拡散させることができる。それにより、消臭剤の消臭効果を維持することができる。
【００２０】
本発明の吸収性物品は、（１１）前記長手方向の一方は腹側方向であり、他方は背側方向であり、前記貫通孔の前記腹側方向の腹側端部と前記吸収体の前記腹側方向の端部との距離は、前記溝部の前記背側方向の背側端部と前記吸収体の前記背側方向の端部との距離よりも短く、前記腹側端部の壁面が前記溝部内の底面に対して成す角は、前記背側端部の壁面が前記溝部内の底面に対して成す角よりも垂直に近い、上記（１０）に記載の吸収性物品、であってもよい。
腹側端部の壁面は、背側端部の壁面よりも吸収体の端部に近いので、腹側端部から漏れ出た尿は、吸収体の端部に相対的に到着し易い。本吸収性物品では、腹側端部の壁面を、背側端部の壁面よりも、溝部内の底面に対して垂直に近く、より急峻にしている。そのため、腹側端部から吸収性物品の端部へ向かって尿を漏れ難くすることができる。それにより、貫通孔を介して尿を吸収体内部へより引き込み易くできる。その結果、吸収体を効果的に使用して吸収効果を高めることができる。また、貫通孔から尿が漏れる場合でも、腹側よりも背側にもれ易いため、吸収体の端部により到着し難くすることができる。
【００２１】
本発明の吸収性物品は、（１２）前記長手方向の一方は腹側方向であり、他方は背側方向であり、前記貫通孔の前記幅方向の幅方向端部と、前記吸収体の前記幅方向の端部との距離は、前記貫通孔の前記腹側方向の腹側端部と前記吸収体の前記腹側方向の端部との距離、及び、前記貫通孔の前記背側方向の背側端部と前記吸収体の前記背側方向の端部との距離よりも短く、前記幅方向端部の壁面が前記貫通孔内の底面に対して成す角は、前記腹側端部の壁面が前記貫通孔内の底面に対して成す角、及び、前記背側端部の壁面が前記貫通孔内の底面に対して成す角よりも垂直に近い、上記（１０）又は（１１）に記載の吸収性物品、であってもよい。
幅方向端部の壁面は、腹側端部の壁面及び背側端部の壁面よりも吸収体の端部に近いので、幅方向端部から漏れ出た尿は、吸収体の端部に相対的に到着し易い。本吸収性物品では、幅方向端部の壁面を、腹側端部の壁面及び背側端部の壁面よりも、貫通孔内の底面に対して垂直に近く、より急峻にしている。そのため、幅方向端部から吸収体の端部へ向かって尿を漏れ難くすることができる。尿をより吸収体の内部へ引き込むことができる。それにより、尿を漏らすことなく、吸収体をその容量の限界のより近くまで使用できる。一方、本吸収性物品では、腹側端部の壁面及び背側端部の壁面を、貫通孔内の底面に対してより緩やかにしている。そのため排尿領域ＰＡ１に排泄された尿を引き込み易くできる。
【００２２】
本発明の吸収性物品は、（１３）前記吸収体は、肌側に位置する上層吸収体と、非肌側に位置する下層吸収体と、を含み、前記溝部は、前記排尿領域ＰＡ１における前記幅方向の中央部に形成され、前記長手方向に延び、前記厚さ方向に前記上層吸収体を貫通する貫通孔を含む、上記（９）に記載の吸収性物品、であってもよい。
本吸収性物品では、溝部が上層吸収体を貫通する上層貫通孔を少なくとも有している。そのため、尿が表面シート上の排尿領域ＰＡ１に排泄されたとき、その尿が上層吸収体の肌側表面の周囲領域へ拡がって消臭剤を濡れさせてしまう前に、その尿の大部分を下層吸収体の内部へ上層貫通孔を介して移動させることができる。そのため、尿が周囲領域の消臭剤へ移動することを抑制できる。それと共に、下層吸収体の内部を移動した尿が肌側へ移動しようとする場合でも、下層吸収体の肌側には上層吸収体が配置されているため、補助シートの消臭剤への尿の移動を上層吸収体により抑制することができる。それらにより吸収体での吸収効果を維持しつつ、消臭剤の消臭効果を維持することができる。
【発明の効果】
【００２３】
本発明によれば、吸収体による吸収効果と消臭剤による消臭効果とを両立させることが可能な吸収性物品を提供することができる。
【図面の簡単な説明】
【００２４】
【図１】実施の形態に係る吸収性物品の平面図である。
【図２】図１に示す吸収性物品の主要部の分解斜視図である。
【図３】図１のＩＩＩ−ＩＩＩ断面図である。
【図４】図１のＩＶ−ＩＶ断面図である。
【図５】図１の吸収性物品の消臭剤の配置領域の一例を示す模式図である。
【図６】図１の吸収性物品の消臭剤の配置領域の一例を示す模式図である。
【図７】図１の吸収性物品の消臭剤の配置領域の一例を示す模式図である。
【図８】図１の吸収性物品の消臭剤の配置領域の一例を示す模式図である。
【図９】図１の吸収性物品の消臭剤の配置領域の一例を示す模式図である。
【図１０】図１の吸収性物品の消臭剤の配置領域の一例を示す模式図である。
【図１１】図１に示す吸収性物品の消臭剤の配置領域の一例を示す模式図である。
【図１２】図１に示す吸収性物品の溝部の長手方向形状を説明する模式図である。
【図１３】図１に示す吸収性物品の溝部の幅方向形状を説明する模式図である。
【発明を実施するための形態】
【００２５】
以下、実施の形態に係る吸収性物品について、図面を参照して説明する。本実施の形態では、吸収性物品の例として軽失禁パッドについて説明する。したがって、本実施の形態では、吸収性物品の吸収対象である排泄物は尿である。ただし、本発明の吸収性物品の種類及び用途は特に限定されるものではなく、パンティライナー、生理用ナプキン、使い捨ておむつ（テープ型、パンツ型）のような吸収性物品に適用することができる。
【００２６】
図１〜図４は本実施の形態に係る吸収性物品１００（尿取りパッド）の構成を示している。ただし、図１は吸収性物品１００を肌側から見た平面図であり、図２は吸収性物品１００の主要部の分解斜視図であり、図３は図１のＩＩＩ−ＩＩＩ断面図であり、図４は図１のＩＶ−ＩＶ断面図である。吸収性物品１００は、長手方向Ｌ、幅方向Ｗ及び厚さ方向Ｔを有し、幅方向Ｗの中心を通り、長手方向Ｌに延びる中央軸線ＣＬと、長手方向Ｌの股間部（後述）の中心を通り、幅方向Ｗに延びる中央軸線ＣＷを更に有する。中央軸線ＣＬに向かう方向及び遠ざかる方向を、それぞれ幅方向Ｗの内側及び外側の方向とし、中央軸線ＣＷに向かう方向及び遠ざかる方向を、長手方向Ｌの内側及び外側の方向とする。また、図１において、向って上方を長手方向Ｌの前方側又は腹側とし、向って下方を長手方向Ｌの後方側又は背側とする。また、本明細書において、吸収性物品１００を上面側又は下面側から厚さ方向に見ることを単に「平面視」という。「肌側」及び「非肌側」とは、吸収性物品１００の着用者が吸収性物品１００を着用したとき、厚さ方向Ｔにおいて相対的に着用者の肌面に近い側及び遠い側をそれぞれ意味する。
【００２７】
図１及び図２に示すように、吸収性物品１００は、長手方向Ｌに沿って並ぶ腹側部１１１、股間部１１２及び背側部１１３を有し、平面視にて、股間部１１２の長手方向Ｌの略中央が幅方向Ｗにくびれ、腹側部１１１及び背側部１１３の長手方向Ｌの略中央部が幅方向Ｗに膨らんだ瓢箪形状を有する。吸収性物品１００が着用されるとき、腹側部１１１は着用者の腹部に当てられ、股間部１１２は着用者の股間部に当てられ、背側部１１３は着用者の尻部及び／又は背部に当てられる。ただし、腹側部１１１及び背側部１１３と股間部１１２との境界は例えば以下のように設定される。中央軸線ＣＬの幅方向Ｗの片側について考える。股間部１１２における幅方向Ｗの中央軸線ＣＬからの最小距離を基準として、その最小距離の１２０％〜１４０％の距離だけ中央軸線ＣＬから離れた位置を通る長手方向Ｌに沿った直線が、吸収性物品１の外形線と交差する位置を境界と設定する。吸収性物品１００では、例えば長手方向Ｌの寸法は３５０〜８８０ｍｍであり、幅方向Ｗの寸法は１６０〜４６０ｍｍである。
【００２８】
吸収性物品１００のうち、着用者の排尿部に接する領域（又は着用者から尿が排泄される領域）を排尿領域ＰＡ１とする。排尿領域ＰＡ１は、着用者の性別・世代や吸収性物品の種類に応じて適宜設定され得るが、排尿領域ＰＡ１の大よその範囲として、例えば幅方向Ｗでは股間部１１２を略三等分したうちの中央の範囲であり、長手方向Ｌでは股間部１１２の概ね全範囲ということができる。排尿領域ＰＡ１の形状としては、矩形、多角形、楕円形など任意の形状とし得るが、本実施の形態では矩形形状とする。吸収性物品１００のうちの排尿領域ＰＡ１を除いた領域、すなわち排尿領域ＰＡ１の周囲の領域を周囲領域ＰＡ２とする。排尿領域ＰＡ１では、例えば上記吸収性物品１００の寸法に対応して長手方向Ｌの寸法は５０〜２００ｍｍであり、幅方向Ｗの寸法は３０〜８０ｍｍである。
【００２９】
吸収性物品１００は、表面シート１２０と、補助シート１４４と、吸収体１４０と、裏面シート１３０と、を備える。なお、吸収性物品１００の長手方向Ｌ、幅方向Ｗ及び厚さ方向Ｔ、肌側及び非肌側は、表面シート１２０、補助シート１４４、吸収体１４０、及び裏面シート１３０と一致する。よって、表面シート１２０、補助シート１４４、吸収体１４０、及び裏面シート１３０においても吸収性物品１００と同様に長手方向Ｌ、幅方向Ｗ及び厚さ方向Ｔ、肌側及び非肌側を用いる。
【００３０】
表面シート１２０は、厚さ方向Ｔにおいて肌側に位置する液透過性のシートであり、本実施の形態では中央シート１２２と一対のサイドシート１２１とを含んでいる。中央シート１２２は、長手方向Ｌに沿って延設され、幅方向の中央に位置する液透過性シートである。中央シート１２２は、本実施の形態では矩形形状であるが、吸収性物品１００と同じ瓢箪形状でもよい。中央シート１２２としては、例えば液透過性の不織布や織布、液透過孔が形成された合成樹脂フィルム、これらの複合シートなど、任意の液透過性シートが挙げられる。一対のサイドシート１２１は、長手方向Ｌに沿って延設され、中央シート１２２の幅方向Ｗの両側に位置し、一対の防漏壁１６０を構成する疎水性のシートである。一対のサイドシート１２１は、吸収性物品１００の瓢箪形状の幅方向Ｗの両側部分の形状（例示：瓢箪形状の幅方向一端側の約１／３の部分及び他端側の１／３の部分）を有する。サイドシート１２１としては、例えば疎水性の不織布や合成樹脂フィルム、不織布と合成樹脂フィルムとの複合シートなど、任意の疎水性シートが挙げられる。
【００３１】
補助シート１４４は、厚さ方向Ｔにおいて表面シート１２０の非肌側、すなわち吸収体１４０と表面シート１２０との間に存在する液透過性のシートであり、排泄物の臭気を消すための消臭剤を含む。表面シート１２０の非肌側にあり肌に直接触れないことで消臭剤が汗で濡れるのを抑制できる。補助シート１４４は、本実施の形態では略矩形形状を有する。ただし補助シート１４４の排尿領域ＰＡ１に対応する位置には、排尿領域ＰＡ１と重なるように、又は排尿領域ＰＡ１を含むように所定形状の孔部１４５が形成され、排泄物が肌側から非肌側へ透過し易くなっている。ここで補助シート１４４の形状は、孔部１４５が形成されている限り任意であり、後述されるような種々のバリエーションがあり得る。また、孔部１４５の所定形状は矩形、多角形、楕円形など任意の形状を採用できるが、本実施の形態では矩形形状であり、排尿領域ＰＡ１と重なっている。消臭剤を含むシートとしては、例えばパルプ等の天然繊維やポリエチレン等の合成繊維と消臭剤とを用いて作製された混抄紙が挙げられる。消臭剤としては、公知の材料を用いることができ、例えば、活性炭、ゼオライト、シリカゲル、アルミナ、多孔質ガラスなどが挙げられる。
【００３２】
補助シート１４４の厚さ、坪量等は補助シート１４４の消臭機能等を考慮して適宜調整される。例えば十分な量の消臭剤を保持させる観点から、補助シート１４４の厚さの下限は０．１ｍｍが好ましく、０．２ｍｍがより好ましく、０．４ｍｍが更に好ましい。吸収性物品１００の軟らかさなど取り扱いの容易さの観点から、補助シート１４４の厚さの上限は１０ｍｍであることが好ましく、５ｍｍであることが余好ましく、１ｍｍであることが更に好ましい。消臭機能を十分に発揮させる観点から、補助シート１４４の坪量の下限は１ｇ／ｍ２であることが好ましく、１０ｇ／ｍ２であることがより好ましく、２０ｇ／ｍ２であることが更に好ましい。吸収性物品１００の質量や軟らかさなど取り扱いの容易さの観点から、補助シート１４４の坪量の上限は８０ｇ／ｍ２であることが好ましく、６０ｇ／ｍ２であることがより好ましく、５０ｇ／ｍ２であることが更に好ましい。補助シート１４４の厚さの測定は、例えば吸収性物品の補助シートから切り出した１００ｍｍ×１００ｍｍの補助シート試料と、市販の厚さ測定器（例示：ＰＥＡＣＯＣＫ社製ＪＡ２５７，測定面５０ｍｍ（直径）、測定圧３ｇ／ｃｍ2）とを使用して、次のように行う。厚さ測定器により、補助シート資料の異なる５つの部位を定圧３ｇ／ｃｍ2で加圧し、各部位における加圧１０秒後の厚みを測定し、５つの測定値の平均値を厚み（ｍｍ）とする。補助シート１４４の坪量の測定は、例えば次ように行う。吸収性物品の補助シートから切り出された３個の試験片（１０ｍｍ×１０ｍｍ）の質量を直示天秤（例示：研精工業株式会社製  電子天秤ＨＦ−３００）で測定し、３個の試験片の質量の平均値から算出された補助シートの単位面積当たりの質量（ｇ／ｍ2）を、補助シートの坪量とする。
【００３３】
本実施の形態では、補助シート１４４は吸収体１４０と表面シート１２０との間に存在するとしているが、これは補助シート１４４と吸収体１４０との関係でいうと、補助シート１４４は厚さ方向Ｔにおいて吸収体１４０よりも肌側に配置することを意味している。補助シート１４４を、尿が吸収され臭気の発生源となる吸収体１４０よりも肌側に近づけるためである。ここで、吸収性物品１００の縁部において、吸収体１４０の存在しない領域における表面シート１２０と裏面シート１３０との間に補助シート１４４を配置することは、厚さ方向Ｔにおいて吸収体１４０よりも肌側に配置するともいえるので、本実施の形態では、吸収体１４０と表面シート１２０との間に配置するとみなす。
【００３４】
吸収体１４０は、厚さ方向Ｔにおいて表面シート１２０と裏面シート１３０との間であって、補助シート１４４の非肌側に位置する液吸収性及び液保持性を有する部材である。本実施の形態では、吸収体１４０は、肌側に位置する上層シート１４０ｃと、上層シート１４０ｃの非肌側に位置する上層吸収体１４０ａと、上層吸収体１４０ａの非肌側に位置する下層吸収体１４０ｂとを含んでいる。ただし、下層吸収体１４０ｂは、吸収性コアとその吸収性コアを包む被覆シートとから形成されていてもよい。平面視で、上層シート１４０ｃは上層吸収体１４０ａと概ね同じ大きさであり、上層吸収体１４０ａは下層吸収体１４０ｂよりも一回り大きい。上層吸収体１４０ａ及び下層吸収体１４０ｂの材料としては、例えばパルプ繊維、合成繊維、高分子吸収体などが挙げられる。上層シート１４０ｃや被覆シートの材料としては、例えば不織布やティッシュが挙げられる。なお、上層シート１４０ｃは無くてもよい。吸収体１４０は上層吸収体１４０ａ及び下層吸収体１４０ｂのような二層でなくてもよく三層以上であっても、一層であってもよい。
【００３５】
上層吸収体１４０ａ及び下層吸収体１４０ｂの厚さ、坪量等は吸収体１４０の吸液性能等を考慮して適宜調整される。例えば上層吸収体１４０ａの厚さは通常１．５〜５．０ｍｍ、好ましくは２．５〜３．５ｍｍであり、坪量は通常１５０〜４００ｇ／ｍ2、好ましくは２００〜３００ｇ／ｍ2である。下層吸収体１４０ｂの厚さは通常１．５〜５．０ｍｍ、好ましくは２．５〜３．５ｍｍであり、坪量は通常１５０〜４００ｇ／ｍ2、好ましくは２００〜３００ｇ／ｍ2である。吸収体の厚さの測定は、例えば吸収性物品から切り出した１００ｍｍ×１００ｍｍの吸収体試料と、市販の厚さ測定器（例示：ＰＥＡＣＯＣＫ社製ＪＡ２５７，測定面５０ｍｍ（直径）、測定圧３ｇ／ｃｍ2）とを使用して、次のように行う。厚さ測定器により、吸収体試料の異なる５つの部位を定圧３ｇ／ｃｍ2で加圧し、各部位における加圧１０秒後の厚みを測定し、５つの測定値の平均値を厚み（ｍｍ）とする。吸収体の坪量の測定は、例えば次のように行う。吸収体から切り出された３個の試験片（１０ｍｍ×１０ｍｍ）の質量を直示天秤（例示：研精工業株式会社製  電子天秤ＨＦ−３００）で測定し、３個の試験片の質量の平均値から算出された吸収体の単位面積当たりの質量（ｇ／ｍ2）を、吸収体の坪量とする。
【００３６】
裏面シート１３０は厚さ方向Ｔで非肌側に位置する液不透過性のシートである。裏面シート１３０としては、例えば液不透過性の不織布や合成樹脂フィルム、不織布と合成樹脂フィルムとの複合シート、ＳＭＳ不織布など、任意の液不透過性シートが挙げられる。
【００３７】
本実施の形態では、吸収性物品１００は一対の防漏壁１６０、１６０と、外装シート１７０と、を更に備える。一対の防漏壁１６０、１６０は、表面シート１２０の一対のサイドシート１２１の幅方向Ｗの内側の部分であり、長手方向Ｌに延在している。防漏壁１６０の幅方向Ｗの外側の端縁部は、表面シート１２０に固定された固定端１６０ａであり、内側の端縁部は自由端である。その固定端１６０ａは、中央シート１２２とサイドシート１２１とが接合している接合部の端部でもある。一対の防漏壁１６０、１６０は、それぞれ自由端に長手方向Ｌに沿って延びる弾性部材（図示されず）を有し、それにより着用時に肌側に立ち上がる。外装シート１７０は、裏面シート１３０の非肌側に位置する液不透過性のシートである（図１、図２で図示省略）。外装シート１７０の材料に特に制限はなく、例えば裏面シート１３０の材料が挙げられる。
【００３８】
表面シート１２０と補助シート１４４との間、補助シート１４４と吸収体１４０との間、吸収体１４０と裏面シート１３０との間、及び裏面シート１３０と外装シート１７０との間は、それぞれ互いに所定パターンの接着剤（図示されず）により接合される。中央シート１２２とサイドシート１２１との間は、互いに所定パターン（図示されず）により接合される。上層シート１４０ｃと上層吸収体１４０ａとの間、及び上層吸収体１４０ａと下層吸収体１４０ｂとの間は、それぞれ互いに所定パターンの接着剤（図示されず）により接合される。表面シート１２０と裏面シート１３０とはそれらの周縁部分にて互いに所定パターンの接着剤（図示されず）により接合される。表面シート１２０と外装シート１７０とはそれらの周縁部分にて互いに所定パターンの接着剤（図示されず）により接合される。接着剤の坪量（ｇ／ｍ２）は、資材や性能等を考慮して適宜調整される。坪量は例えば０．５〜５０ｇ／ｍ2、好ましくは１〜２０ｇ／ｍ2である。接着剤の坪量は、吸収性物品１００における所定面積の資材（表面シート１２０、裏面シート１３０、吸収体１４０など）に塗布される接着剤の塗布量（質量）を、その所定面積で除算して算出される。
【００３９】
本実施の形態では、上層吸収体１４０ａは、平面視で、長手方向Ｌに長く、股間部１１２における長手方向Ｌの略中央がくびれた略瓢箪形の形状を有する。下層吸収体１４０ｂは平面視で長手方向Ｌに長く、幅方向Ｗが短い略矩形状を有する。ただし、下層吸収体１４０ｂにおいて、長手方向Ｌの寸法は上層吸収体１４０ａの長手方向Ｌの寸法よりも短く、幅方向Ｗの寸法は上層吸収体１４０ａの幅方向Ｗの寸法よりも短い。したがって、上層吸収体１４０ａの長手方向Ｌの両端縁は下層吸収体１４０ｂの長手方向Ｌの両端縁よりも長手方向Ｌの外側に位置しており、よって上層吸収体１４０ａは下層吸収体１４０ｂよりも長手方向Ｌの両側に広く形成されている。また、上層吸収体１４０ａの幅方向Ｗの両端縁は、下層吸収体１４０ｂの幅方向Ｗの両端縁よりも長手方向Ｌの外側に位置しており、よって上層吸収体１４０ａは下層吸収体１４０ｂよりも幅方向Ｗの両側に広く形成されている。すなわち、上層吸収体１４０ａは下層吸収体１４０ｂよりも一回り大きく形成されている。また、上層シート１４０ｃは平面視で長手方向Ｌが長く、幅方向Ｗの寸法が短い。ただし、上層シート１４０ｃの長手方向Ｌの寸法は上層吸収体１４０ａの長手方向Ｌの寸法と同じで、幅方向Ｗの寸法は上層吸収体１４０ａの幅方向Ｗの股間部１１２の寸法よりも長く、腹側部１１１及び背側部１１３の寸法よりも短い略矩形状である。なお、吸収体１４０の各構成の平面視の形状は任意である。
【００４０】
補助シート１４４は、本実施の形態では、平面視で、吸収体１４０の上層シート１４０ｃに対して全体に一回り大きい略矩形形状を有し、それにより吸収体１４０の肌側の概ね全面を覆う。一方、補助シート１４４の排尿領域ＰＡ１の孔部１４５は、排尿領域ＰＡ１とほぼ同じ大きさを有し、それにより排尿領域ＰＡ１に補助シート１４４、すなわち消臭剤が存在しないようになっている。したがって、消臭剤は、臭気が発生する尿を含む吸収体１４０により近い、吸収体１４０と表面シート１２０との間の位置であって排尿点に比較的近い周囲領域ＰＡ２に位置しており、排尿点に最も近い排尿領域ＰＡ１には位置していない。そのため、尿が排泄されたとき、尿は主に排尿領域ＰＡ１の範囲内に拡がりながら、補助シート１４４内の孔部１４５を通り、すなわち消臭剤に邪魔されずに、吸収体１４０内部へ移動・拡散することができ、吸収されることができる。それにより、補助シート１４４の消臭剤が尿の吸収体１４０への移動を妨げて、吸収体１４０の吸収効果を低下させるという事態を抑制できる。それと共に、補助シート１４４の周囲領域ＰＡ２の消臭剤が尿で濡れることを抑制でき、それにより消臭剤が尿で濡れて消臭効果が低下する事態を抑制できる。そのとき、消臭剤を含む補助シート１４４は、表面シート１２０よりも非肌側に配置されているので、着用者の肌面からの汗が補助シート１４４に到達し難くなり、汗により消臭剤が濡れてしまい消臭剤の消臭効果が低下する事態を抑制できる。それらにより、消臭剤で気相中の臭気物質を容易に捕獲することができる。以上のようにして、本吸収性物品１００では吸収体１４０による吸収効果と消臭剤による消臭効果とを両立させることができる。
【００４１】
吸収体１４０では、図２及び図３に示すように、上層吸収体１４０ａは肌側から非肌側に向かって厚さ方向Ｔに窪んだ溝部を有する。その溝部は、本実施の形態では上層吸収体１４０ａを厚さ方向Ｔに貫通する貫通孔１４１ａである。貫通孔１４１ａは、吸収性物品１００の股間部１１２に位置すると共に、吸収体１４０の幅方向Ｗの中心を通って長手方向Ｌに延在する。すなわち、貫通孔１４１ａは排尿領域ＰＡ１内に形成される。それにより、排泄された尿が表面シート１２０上を周囲領域ＰＡ２へ拡散する前に、すなわち補助シート１４４の消臭剤を汚す前に、その尿を、貫通孔１４１ａを介して下層吸収体１４０ｂの内部へ引き込むことができる。特に、本実施の形態では、溝部が貫通孔１４１ａであるので、尿をより素早く下層吸収体１４０ｂの内部へ引き込むことができる。また、上層吸収体１４０ａは下層吸収体１４０ｂよりも一回り大きいので、下層吸収体１４０ｂに引き込んで吸わせた尿の肌側への液戻りを上層吸収体１４０ａで防いで、補助シート１４４が非肌側から濡れることを抑制できる。
【００４２】
本実施の形態では、貫通孔１４１ａが貫通孔であり、更に下層吸収体１４０ｂは肌側から非肌側に向かって厚さ方向Ｔに窪んだ溝部を有する。その溝部は、本実施の形態では下層吸収体１４０ｂを厚さ方向Ｔに貫通する貫通孔１４１ｂである。貫通孔１４１ｂは、吸収性物品１００の股間部１１２に位置すると共に、吸収体１４０の幅方向Ｗの中心を通って長手方向Ｌに延在する。すなわち、貫通孔１４１ｂは排尿領域ＰＡ１内に形成される。また、貫通孔１４１ａ及び貫通孔１４１ｂは、平面視で少なくとも一部が重なるように形成される。それにより、排泄された尿が上層吸収体１４０ａの貫通孔１４１ａを介して下層吸収体１４０ｂに達したとき、その尿を、貫通孔１４１ｂを介して下層吸収体１４０ｂの更に内部へ引き込むことができる。特に、本実施の形態では、溝部が貫通孔１４１ｂであるため、尿をより素早く下層吸収体１４０ｂのより内部へ引き込むことができる。尿を下層吸収体１４０ｂに引き込み、下層吸収体１４０ｂで尿を吸わせることで上層吸収体１４０ａへの液戻りを防いで、さらっと感を維持する、すなわちリウェットバックを減らすことができ、かつ補助シート１４４が非肌側から濡れることを抑制できる。
【００４３】
貫通孔１４１ａ及び貫通孔１４１ｂの平面視での長手方向Ｌ及び幅方向Ｗの寸法等は、上層吸収体１４０ａ及び下層吸収体１４０ｂの大きさ等を考慮し適宜調整される。貫通孔１４１ａの幅方向Ｗの寸法は通常５．０〜５０ｍｍ、好ましくは１０〜２０ｍｍである。貫通孔１４１ｂの幅方向Ｗの寸法は、貫通孔１４１ａの幅方向Ｗの寸法と等しいか又はそれよりも狭く、通常５．０〜４０ｍｍ、好ましくは１０〜１５ｍｍである。貫通孔１４１ａの長手方向Ｌの寸法は通常５０〜３００ｍｍ、好ましくは５０〜２００ｍｍ、さらに好ましくは５０〜１５０ｍｍである。貫通孔１４１ｂの長さは、貫通孔１４１ａの長手方向Ｌの寸法と等しいか又はそれよりも短く、通常３０〜２５０ｍｍ、好ましくは３０〜１５０ｍｍである。貫通孔１４１ａの幅方向Ｗ及び長手方向Ｌの寸法が、貫通孔１４１ｂの幅方向Ｗの寸法及び長手方向Ｌの寸法と等しいか又はそれよりも大きいことにより、上層吸収体１４０ａ及び下層吸収体１４０ｂを積層する工程で多少のずれが生じたとしても、吸収体１４０の表面シート１２０側表面からみた貫通孔１４１の大きさがほぼ一定に保たれる。また、貫通孔１４１の内壁面に段差が生じ、貫通孔１４１の内表面積が大きくなるので、貫通孔１４１が形成された部分における吸収体１４０の尿の吸収性能が向上する。
【００４４】
本実施の形態では、吸収体１４０の排尿領域ＰＡ１に吸収体１４０の内部へ延びる溝部（又は、貫通孔１４１ａ、貫通孔１４１ａ）が形成されている。そのため、尿が表面シート１２０上の排尿領域ＰＡ１に排泄されたとき、その尿が表面シート１２０を伝い周囲領域ＰＡ２へ拡がって補助シート１４４上の消臭剤を濡れさせてしまう前に、その尿の大部分を吸収体１４０の溝部から吸収体１４０内部へ移動・拡散させることができる。そのため、尿が周囲領域ＰＡ２の消臭剤へ移動・拡散することを抑さえ、消臭剤の消臭効果の低下を抑制しつつ、尿を効率的に吸収体１４０に吸収させることができる。それにより、吸収体による吸収効果と消臭剤による消臭効果とを両立させることができる。
【００４５】
吸収体１４０は更に圧搾部１４２、１４３を有する。圧搾部１４２、１４３は、股間部１１２の排尿領域ＰＡ１内において、貫通孔１４１の幅方向Ｗの両外側に、長手方向Ｌに沿って延在する。圧搾部１４２、１４３は上層吸収体１４０ａ及び下層吸収体１４０ｂを厚さ方向Ｔに圧搾することで形成される。すなわち、圧搾部１４２、１４３は、エンボス処理によって形成され、表面シート１２０側に開口部を有する凹部である。圧搾部１４２、１４３により、尿が表面シート１２０上の排尿領域ＰＡ１に排泄されたとき、表面シート１２０を幅方向Ｗに拡がって周囲領域ＰＡ２に到達することを抑制できる。そして排尿領域ＰＡ１の幅方向Ｗ両側の補助シート１４４上の消臭剤が尿で濡れてしまう前に、その尿の大部分を圧搾部１４２、１４３から吸収体１４０内部へ移動・拡散できる。
【００４６】
上記の貫通孔１４１及び圧搾部１４２、１４３は、尿が表面シート１２０上を外側に向かって移動して外部に漏れることを予防するために、尿を吸収体１４０内へ引き込むべく設けられていると見ることができる。したがって、本実施の形態の排尿領域ＰＡ１は、貫通孔１４１及び圧搾部１４２、１４３を含む領域ということもできる。例えば、排尿領域ＰＡ１の長手方向Ｌの長さとしては、貫通孔１４１の長手方向Ｌの寸法を前側及び後側に１０％〜３０％程度の伸ばした寸法が挙げられる。排尿領域ＰＡ１の幅方向Ｗの長さとしては、圧搾部１４２から圧搾部１４３までの幅方向Ｗの寸法を両外側に１０％〜３０％程度の伸ばした寸法が挙げられる。
【００４７】
吸収性物品１００の補助シート１４４の形状、すなわち消臭剤の配置領域については、図１から図４の例に限定されず、孔部１４５を有する限り任意であり、種々のバリエーションがあり得る。以下、補助シートの形状（消臭剤の配置領域）のバリエーションの例を、図５〜図１１を参照して説明する。ただし図５〜図１１では分り易さのために表面シート１２０よりも非肌側にある（表面シート１２０の下に隠れている）補助シート１４４、１４４ａ〜１４４ｅを実線の図形及びその図形を埋めるハッチング線で明示している。
【００４８】
図５は吸収性物品１００の消臭剤の配置領域（補助シート１４４の形状）の一例を示す模式図である。この例では、補助シート１４４は、平面視で排尿領域ＰＡ１を除いた全領域に存在する。言い換えると、消臭剤は、平面視で排尿領域ＰＡ１を除いた全領域に配置される。この場合、消臭剤の量が極めて多いため消臭効果が極めて高くなる。
【００４９】
図６は吸収性物品１００の消臭剤の配置領域（補助シート１４４ａの形状）の他の例を示す模式図である。吸収体１４０（上層吸収体１４０ａと下層吸収体１４０ｂとを合わせたもの）は、長手方向Ｌの中央部分、すなわち股間部１１２に幅方向Ｗの寸法が最小となる最小部分１４０ａｓ１を有している。この例では、補助シート１４４ａは、その最小部分１４０ａｓ１の両端縁を通り、長手方向Ｌに沿って延びる仮想線ＭＷよりも幅方向Ｗの外側に位置する。尿が拡散しても、吸収体１４０の最小部分１４０ａｓ１より幅方向Ｗの外側の領域へはほとんど到達せず、したがって吸収体１４０の最小部分１４０ａｓ１より外側の領域は尿とほとんど接触しない領域となる。例えば、１５０〜３００ｍｌ程度の尿であれば、拡散が最小部分１４０ａｓ１より幅方向Ｗの外側の領域まで拡がる前に厚さ方向Ｔに移動し、吸収体内１４０内を拡散するため、消臭剤が配置されている周囲領域ＰＡ２にはほとんど到達していない。したがって、この例では、補助シート１４４ａを最小部分１４０ａｓ１の位置よりも外側（仮想線ＭＷの外側）に配置する。そのため、消臭剤は排尿点に非常に近いが、尿が吸収体１４０内を拡散するため、尿とほとんど接触せず、濡れ難くなるので、消臭剤の消臭効果を減らさずに、尿の臭気物質を消臭剤で適切に捕獲することができる。なお、吸収体１４０（上層吸収体１４０ａ、下層吸収体１４０ｂ）の形状により、幅方向Ｗの寸法が最小となる最小部分は図６の場合とは異なる場合があり得る。また、最小部分として、上層吸収体１４０ａにおける幅方向Ｗの寸法が最小となる部分を選択してもよいし、下層吸収体１４０ｂにおける幅方向Ｗの寸法が最小となる部分を選択してもよい。
【００５０】
図７は、吸収性物品１００の消臭剤の配置領域（補助シート１４４ｂの形状）の更に他の例を示す模式図である。吸収性物品１００は、包装時には、吸収性物品１００の幅方向Ｗの両端部に設定され、長手方向Ｌに沿って延びる折り線ＦＬの位置で、幅方向Ｗの両端部が中央部に折り畳まれている。折り線ＦＬは、幅方向Ｗにおける排尿領域ＰＡ１の両端縁それぞれよりも外側、好ましくは最小部分１４０ａｓ１の両端縁それぞれよりも外側の所定位置を通るように設定される。この例では、補助シート１４４ｂは、幅方向Ｗにおける折り線ＦＬよりも幅方向Ｗの外側に位置する。吸収性物品１が包装され、折り線ＦＬよりも幅方向Ｗ外側の部分が、折り線ＦＬに沿って折り線ＦＬよりも内側の中央部分の上に折り畳まれる。そのとき、折り線ＦＬの部分は折り溝が形成される。このように肌面側に折り溝が付くことにより、折り溝よりも幅方向Ｗの外側の部分が厚さ方向Ｔに起立して壁のようになり、吸収性物品１の全体としては長手方向Ｌから見て略Ｕ字型の形状を維持することができる。これにより、幅方向Ｗの外側へ尿が流れてきたとしても、折り溝よりも幅方向Ｗの外側の部分には傾斜がついているため、流れてきた尿が幅方向Ｗの外側にそれ以上拡がることを抑制できる。さらに、折り溝よりも幅方向Ｗの外側の部分は壁のようになっているため、尿から発生した臭気物質が幅方向Ｗの外側に拡がろうとした際に、その壁のような部分に沿って移動するため消臭剤と接触し易くすることができる。このように、本吸収性物品１００は、消臭剤が濡れず、すなわち、消臭剤の消臭効果を減らさず、尿の臭気物質を消臭剤で適切に捕獲できる。
【００５１】
図８は、吸収性物品１００の消臭剤の配置領域（補助シート１４４ｂの形状）の更に他の例を示す模式図である。この例では、補助シート１４４ｂは、平面視で、中央シート１２２と一対のサイドシート１２１とが接合している一対の接合部における幅方向Ｗの内側の端部(固定端１６０ａ）よりも、幅方向Ｗの両外側に位置する。着用者が横向きで寝ている姿勢において、尿は表面シート１２０上を伝う可能性が高い。したがって、この例では、補助シート１４４ｂを、接合部における幅方向Ｗの内側の端部、すなわち防漏壁１６０の固定端１６０ａの位置よりも外側に配置する。その理由は以下のとおりである。サイドシート１２１は疎水性シート（例示：疎水性不織布）で形成されているため、サイドシート１２１へ尿のような液体が伝ってきたとき、固定端１６０ａ付近よりも幅方向Ｗの外側のサイドシート１２１上には液体が載ることはあっても、サイドシート１２１が液体を吸いこむことがない。それゆえ、消臭剤が固定端１６０ａよりも外側に配置されていれば、液体がサイドシート１２１の肌面側から厚み方向Ｔに流れてくる可能性は低くなる。それにより、消臭剤の配置された領域を濡れ難い環境に維持できる。そのため、着用者が横向きで寝ているときに尿の伝達が止まる固定端１６０ａより外側に消臭剤が配置される。したがって、消臭剤は尿に極めて近いが、尿とほとんど接触せず、濡れ難くなるので、消臭剤の消臭効果を減らさずに、尿の臭気物質を消臭剤で適切に捕獲することができる。
【００５２】
図９は、吸収性物品１００の消臭剤の配置領域（補助シート１４４ｃの形状）の更に他の例を示す模式図である。この例では、補助シート１４４ｃは、幅方向Ｗにおける吸収体１４０（上層吸収体１４０ａと下層吸収体１４０ｂとを合わせたもの）の両端縁よりも外側に位置しており、更に長手方向Ｌの両端縁よりも外側に位置してもよい。幅方向Ｗ及び長手方向Ｌの吸収体１４０の外側では厚さ方向Ｔにおいて裏面シート１３０と表面シート１２０との間に位置する。幅方向Ｗ及び／又は長手方向Ｌにおいて、尿が拡散しても、吸収体１４０の端縁よりも外側の領域へはほとんど到達せず、したがって吸収体１４０の端縁より外側の領域は尿とほとんど接触しない領域となる。この例では、補助シート１４４ｃを幅方向Ｗ及び／又は長手方向Ｌにおける吸収体１４０の端縁よりも外側に位置するように形成する。そのため消臭剤は排尿点に比較的近いが、尿とほとんど接触せず、濡れ難くなるので、消臭剤の消臭効果を減らさずに尿の臭気物質を消臭剤で適切に捕獲できる。
【００５３】
図１０は、吸収性物品１００の消臭剤の配置領域（補助シート１４４ｄの形状）の更に他の例を示す模式図である。この例では、吸収体１４０（上層吸収体１４０ａと下層吸収体１４０ｂとを合わせたもの）は、長手方向Ｌの両端部の各々に幅方向の寸法が極小となる極小部分１４０ａｓ２、１４０ａｓ３を有しており、補助シート１４４ｄは、極小部分１４０ａｓ２、１４０ａｓ３よりも長手方向Ｌの外側に位置する。尿が拡散しても、吸収体１４０の極小部分１４０ａｓ２、１４０ａｓ３より長手方向Ｌの外側の領域へはほとんど到達せず、したがって極小部分１４０ａｓ２、１４０ａｓ３より外側の領域は尿とほとんど接触しない領域となる。この例では補助シート１４４ｄを極小部分１１４０ａｓ２、１４０ａｓ３の位置よりも長手方向Ｌの外側に配置する。そのため消臭剤は排尿点に非常に近いが、尿とほとんど接触せず、濡れ難くなるので、消臭剤の消臭効果を減らさずに、尿の臭気物質を消臭剤で適切に捕獲できる。なお、補助シート１４４ｄを極小部分１４０ａｓ２、１４０ａｓ３のいずれか一方よりも長手方向Ｌの外側に配置してもよい。
【００５４】
図１１は、吸収性物品１００の消臭剤の配置領域（補助シート１４４ｅの形状）の更に他の例を示す模式図である。この例では、補助シート１４４ｅは、平面視で、少なくとも排尿領域ＰＡ１よりも腹側方向（腹側部１１１の方向）に位置する。吸収性パッドなどの吸収性物品１、股間部１１２の幅方向Ｗの端部は漏れないように身体に密着させて装着され、その密着度は非常に高い。例えば吸収性パッドは非肌面側にパンツ型おむつもしくはテープ型おむつをつけた状態で使用することになり、その密着度は極めて高い。そのため、排尿領域から逃げてくる臭気物質は腹側に限定されてくる。特に、着用者が仰向けに寝ている姿勢において、尿の臭気物質は吸収性物品１００と身体の腹部との間を通過し易い。この例では、補助シート１４４ｅを排尿領域ＰＡ１よりも腹側方向（腹側部１１１の方向）に配置するので、吸収性物品１００と身体の腹部との間を通過する臭気物質を効果的に捕獲することができる。また、着用者が仰向けに寝ている姿勢において、尿が排出されても、吸収体１４０のパルプ繊維内の毛細管現象以外には尿は重力に逆らうことはできない。したがって、排尿領域ＰＡ１よりも腹側方向に消臭剤を配置することで、消臭剤は排尿点に近いが、尿とほとんど接触せず、濡れ難くなる。したがって、消臭剤の消臭効果を減らさずに、消臭剤の消臭効果を的確に発揮でき、特に仰向けに寝ている着用者の感じる臭気を効果的に除去できる。
【００５５】
また、上記図１、図５〜図８、図１０〜図１１では、各補助シートは幅方向Ｗ及び／又は長手方向Ｌにおける吸収体１４０の端縁の内側から外側へ延在している。吸収体１４０の外側の端縁よりも外側に拡がる広い領域で補助シートを形成することで、消臭剤は排尿点に比較的近いが、尿とほとんど接触せず、濡れ難く、かつ消臭剤の領域が広くなるので、消臭剤の消臭効果を高めて、尿の臭気物質を消臭剤で適切に捕獲することができる。
【００５６】
なお、上記図６〜図１１においては各補助シート１４４ａ〜１４４ｅは図示された領域の形状を有するとして説明したが、本実施の形態はその例に限定されない。例えば、補助シートは平面視で吸収性物品１００と同じ瓢箪形状のシートであって、図６〜図１１で補助シート１４４ａ〜１４４ｅとして示す領域のみに消臭剤が配置されたシートでもよい。
【００５７】
次に、吸収体１４０の貫通孔１４１について更に説明する。
図１２及び図１３は、吸収体１４０の貫通孔１４１及びその周辺部分について、長手方向Ｌに沿い幅方向Ｗに垂直な断面図及び幅方向Ｗに沿い長手方向Ｌに垂直な断面図をそれぞれ模式的に示している。これらの図において、上層シート１４０ｃの記載を省略している。ここで、貫通孔１４１ａは、長手方向Ｌに沿い幅方向Ｗに対面配置された壁面ＳＵ１、ＳＵ２と、幅方向Ｗに沿い長手方向Ｌに対面配置された前側（腹側）の壁面ＦＷＵ及び後側（背側）の壁面ＢＷＵと、を備える。また、貫通孔１４１ｂは、長手方向Ｌに沿い幅方向Ｗに対面配置された壁面ＳＬ１、ＳＬ２と、幅方向Ｗに沿い長手方向Ｌに対面配置された前側（腹側）の壁面ＦＷＬ及び後側（背側）の壁面ＢＷＬと、を備える。ただし、図１２において、長手方向Ｌの左側が前側（腹側）であり、右側が後側（背側）である。また、貫通孔１４１ａの底面ＢＵは、貫通孔１４１ａが貫通孔の場合には、上層吸収体１４０ａの非肌側の面を貫通孔に仮想的に延長させた平面とする。同様に、貫通孔１４１ｂの底面ＢＬは、貫通孔１４１ｂが貫通孔の場合には、下層吸収体１４０ｂの非肌側の面を貫通孔に仮想的に延長させた平面とする。したがって底面ＢＵ、ＢＬは互いに平行である。
【００５８】
図１及び図１２から分るように、貫通孔１４１ｂの腹側方向の端部である下層腹側端部ＬＬ１と吸収性物品１００の腹側方向の端部との距離は、貫通孔１４１ｂの背側方向の端部である下層背側端部ＬＬ２と吸収性物品１００の背側方向の端部との距離よりも短い。そこで本実施の形態では、図１２に示すように、下層腹側端部ＬＬ１の壁面ＦＷＬが貫通孔１４１ｂ内の底面ＢＬに対して成す角β１が、下層背側端部ＬＬ２の壁面ＢＷＬが貫通孔１４１ｂ内の底面ＢＬに対して成す角β２よりも底面ＢＬに対して垂直に近く、すなわちより急峻にしている。ここで、下層腹側端部ＬＬ１から漏れ出た尿は、貫通孔１４１ａを介して吸収性物品１００の腹側方向の端部に相対的に到着し易い。しかし、上記構成を有することで、下層腹側端部ＬＬ１から貫通孔１４１ａを介して吸収性物品１００の腹側方向の端部へ向かって尿を漏れ難くすることができる。それにより、尿をより下層吸収体１４０ｂの内部へ引き込むことができ、尿を周囲領域ＰＡ２へ漏らし難くできる。
【００５９】
また、図１及び図１２から分るように、貫通孔１４１ａの腹側方向の端部である上層腹側端部ＬＵ１と吸収性物品１００の腹側方向の端部との距離は、貫通孔１４１ａの背側方向の端部である上層背側端部ＬＵ２と吸収性物品１００の背側方向の端部との距離よりも短い。そこで本実施の形態では図１２に示すように、上層腹側端部ＬＵ１の壁面ＦＷＵが貫通孔１４１ａ内の底面ＢＬに対して成す角α１が、上層背側端部ＬＵ２の壁面ＢＷＵが貫通孔１４１ａ内の底面ＢＬに対して成す角α２よりも底面ＢＵに対して垂直に近く、より急峻にしている。ここで、上層腹側端部ＬＵ１から漏れ出た尿は、吸収性物品１００の腹側方向の端部に相対的に到着し易い。しかし、上記構成を有することで、上層腹側端部ＬＵ１から吸収性物品１００の腹側方向の端部へ向かって尿を漏れ難くすることができる。それにより、尿をより下層吸収体１４０ｂの内部へ引き込むことができ、尿を周囲領域ＰＡ２へ漏らし難くできる。
【００６０】
本実施の形態では、図１２及び図１３に示すように、貫通孔１４１ｂの壁面ＦＷＬ、ＢＷＬ、ＳＬ１、ＳＬ２が貫通孔１４１ｂ内の底面ＢＬに対して成す角β１、β２、β３、β４は、貫通孔１４１ａの壁面ＦＷＵ、ＢＷＵ、ＳＵ１、ＳＵ２が貫通孔１４１ａ内の底面ＢＵに対して成す角α１、α２、α３、α４よりも底面ＢＵ、ＢＬに対して垂直に近く、より急峻にしている。言い換えると、貫通孔１４１ａの壁面ＦＷＵ、ＢＷＵ、ＳＵ１、ＳＵ２を貫通孔１４１ｂの壁面ＦＷＬ、ＢＷＬ、ＳＬ１、ＳＬ２よりも貫通孔１４１内の底面ＢＬ、ＢＵに対してより緩やかにしている。したがって、上記構成を有すると、貫通孔１４１ａの壁面ＦＷＵ、ＢＷＵ、ＳＵ１、ＳＵ２が緩やかなので、貫通孔１４１ａを介して尿を貫通孔１４１ｂへより引き込み易くなり、かつ、貫通孔１４１ｂの壁面ＦＷＬ、ＢＷＬ、ＳＬ１、ＳＬ２が急峻なので一度引き込んだ尿を外部へ漏れ難くすることができる。それにより、尿を下層により引きこみ、下層吸収体１４０ｂで尿を吸わせることで上層吸収体１４０ａへの液戻りを防いで、さらっと感を維持し（リウェットバックを減らし）、補助シート１４４が非肌側から濡れることを抑制でき、かつ、尿を周囲領域ＰＡ２へ漏らし難くできる。
【００６１】
図１、図１２及び図１３から分るように、貫通孔１４１ａの幅方向Ｗの一方の上層幅方向端部ＷＵ１と吸収性物品１００の幅方向Ｗの一方の端部との距離、及び、貫通孔１４１ａの幅方向Ｗの他方の上層幅方向端部ＷＵ２と、吸収性物品１００の幅方向Ｗの他方の端部との距離は、貫通孔１４１ａの腹側方向の上層腹側端部ＬＵ１と吸収性物品１００の腹側方向の端部との距離、及び、貫通孔１４１ａの背側方向の上層背側端部ＬＵ２と吸収性物品１００の背側方向の端部との距離よりも短い。本実施の形態では、図１２及び図１３に示すように、一方及び他方の上層幅方向端部ＷＵ１、ＷＵ２の壁面ＳＵ１、ＳＵ２が貫通孔１４１ａ内の底面ＢＵに対して成す角α３、α４は、上層腹側端部ＬＵ１の壁面ＦＷＵが貫通孔１４１ａ内の底面ＢＵに対して成す角α１、及び、上層背側端部ＬＵ２の壁面ＢＷＵが貫通孔１４１ａ内の底面ＢＵに対して成す角α２よりも底面ＢＵに対して垂直に近く、急峻にしている。上記構成により、上層幅方向端部ＷＵ１、ＷＵ２から吸収性物品の端部へ向かって尿を漏れ難くすることができる。それにより、尿をより下層吸収体１４０ｂの内部へ引き込むことができる。その結果、リウェットバックを減らし、尿を周囲領域ＰＡ２へ漏らし難くできる。一方、上記構成により、上層腹側端部ＬＵ１及び上層背側端部ＬＵ２から、腹側端部の壁面及び背側端部の壁面を、貫通孔内の底面に対してより緩やかにしている。そのため、排尿領域ＰＡ１に排泄された尿を引き込み易くできる。
【００６２】
ただし、上記の各角α１〜α４、β１〜β４の測定方法は以下の様に行う。Ｘ線透視装置ＦＬＥＸ−Ｍ８６３を用いた。溝部を中心としてサンプルを２０×４０ｍｍに切り取り、切片サンプルを０．２度ずつ回転させて３６０度スキャンを行う。その後、撮影した１８００枚の画像をつなぎ合わせて３Ｄ画像を作成する。そして、３Ｄ画像から長手方向Ｌの断面図及び幅方向Ｗの断面図を抽出し、当該図から各角α１〜α４、β１〜β４を測定した。ただし、底面ＢＵは、貫通孔１４１ａが貫通孔の場合には、上層吸収体１４０ａの非肌側の面を貫通孔に仮想的に延長させた平面とし、底面ＢＬは、貫通孔１４１ｂが貫通孔の場合には、下層吸収体１４０ｂの非肌側の面を貫通孔に仮想的に延長させた平面とした。したがって、底面ＢＵ、ＢＬは互いに平行である。
【００６３】
本発明により、吸収体による吸収効果と消臭剤による消臭効果とを両立させることが可能な吸収性物品を提供することができる。
【００６４】
本発明の吸収性物品は、上述した各実施形態に制限されることなく、本発明の目的、趣旨を逸脱しない範囲内において、適宜組合せや変更等が可能である。
【符号の説明】
【００６５】
１００    吸収性物品
１２０    表面シート
１３０    裏面シート
１４０    吸収体
１４０ａ    上層吸収体
１４０ｂ    下層吸収体
１４１ａ    貫通孔
１４４    補助シート
ＰＡ１    排尿領域
ＰＡ２    周囲領域
【図１】
2018000568.tif 000003
【図２】
2018000568.tif 000004
【図３】
2018000568.tif 000005
【図４】
2018000568.tif 000006
【図５】
2018000568.tif 000007
【図６】
2018000568.tif 000008
【図７】
2018000568.tif 000009
【図８】
2018000568.tif 000010
【図９】
2018000568.tif 000011
【図１０】
2018000568.tif 000012
【図１１】
2018000568.tif 000013
【図１２】
2018000568.tif 000014
【図１３】
2018000568.tif 000015